(57)【要約】【課題】タッチパネルの配置されている態様を、手間をかけることなく調整する。【解決手段】画像形成装置１００は、タッチパネル４１、調整部６００、検出部５１、及び調整指示部５２を備える。調整部６００は、タッチパネル４１の配置されている態様を調整する。検出部５１は、ユーザーがタッチパネル４１に接触している状態を検出する。調整指示部５２は、検出部５１の検出結果に基づいて、調整部６００がタッチパネル４１の態様を調整するように調整部６００に指示する。前記態様は、位置及び姿勢の少なくとも一方を含む。【選択図】図２
2018167416.tif 000002
【特許請求の範囲】
【請求項１】
タッチパネルと、
前記タッチパネルの配置されている態様を調整する調整部と、
ユーザーが前記タッチパネルに接触している状態を検出する検出部と、
前記検出部の検出結果に基づいて、前記調整部が前記タッチパネルの前記態様を調整するように前記調整部に指示する調整指示部と
を備え、
前記態様は、位置及び姿勢の少なくとも一方を含む、画像形成装置。
【請求項２】
前記検出部は、接触領域の全圧力を検出し、
前記接触領域は、ユーザーが前記タッチパネルに接触する領域を示し、
前記調整部は、前記タッチパネルの高さを調整し、
前記調整指示部は、前記検出部の検出結果に基づいて、前記調整部が前記高さを調整するように前記調整部に指示する、請求項１に記載の画像形成装置。
【請求項３】
前記全圧力が第１圧力より大きい場合に、前記調整指示部は、前記調整部が前記高さを低くするように前記調整部に指示し、
前記全圧力が第２圧力より小さい場合に、前記調整指示部は、前記調整部が前記高さを高くするように前記調整部に指示する、請求項２に記載の画像形成装置。
【請求項４】
前記検出部は、接触領域の面積を検出し、
前記接触領域は、ユーザーが前記タッチパネルに接触する領域を示し、
前記調整部は、水平面に対する前記タッチパネルの傾き角を調整し、
前記調整指示部は、前記検出部の検出結果に基づいて、前記調整部が前記傾き角を調整するように前記調整部に指示する、請求項１から請求項３のいずれか１項に記載の画像形成装置。
【請求項５】
前記面積が第１面積より大きい場合に、前記調整指示部は、前記調整部が前記傾き角を大きくするように前記調整部に指示し、
前記面積が第２面積より小さい場合に、前記調整指示部は、前記調整部が前記傾き角を小さくするように前記調整部に指示する、請求項４に記載の画像形成装置。
【発明の詳細な説明】
【技術分野】
【０００１】
本発明は、画像形成装置に関する。
【背景技術】
【０００２】
特許文献１の画像形成装置は、操作パネルの角度を調整する。具体的には、画像形成装置は、無線端末からユーザー情報を取得し、取得したユーザー情報に基づいて、操作パネルの角度を調整する。ユーザー情報は、身長情報、年齢情報、障害の有無や種類を示す情報、ユーザーＩＤ情報、及び氏名情報を含む。
【先行技術文献】
【特許文献】
【０００３】
【特許文献１】特開２００５−１２８０３９号公報
【発明の概要】
【発明が解決しようとする課題】
【０００４】
しかしながら、特許文献１に記載の画像形成装置では、無線端末にユーザー情報を予め入力しておく必要がある。よって、画像形成装置がコンビニエンスストアのように不特定のユーザーが使用する場所に配置されている場合には、ユーザー毎にユーザー情報を入力する必要がある。したがって、ユーザー毎にユーザー情報を入力する手間がかかる。
【０００５】
本発明は、上記課題に鑑みてなされたものであり、タッチパネルの配置されている態様を、手間をかけることなく調整できる画像形成装置を提供することを目的としている。
【課題を解決するための手段】
【０００６】
本発明の画像形成装置は、タッチパネル、調整部、検出部、及び調整指示部を備える。前記調整部は、前記タッチパネルの配置されている態様を調整する。前記検出部は、ユーザーが前記タッチパネルに接触している状態を検出する。前記調整指示部は、前記検出部の検出結果に基づいて、前記調整部が前記タッチパネルの前記態様を調整するように前記調整部に指示する。前記態様は、位置及び姿勢の少なくとも一方を含む。
【発明の効果】
【０００７】
本発明の画像形成装置によれば、タッチパネルの配置されている態様を、手間をかけることなく調整できる。
【図面の簡単な説明】
【０００８】
【図１】本実施形態に係る画像形成装置の構成を示す図である。
【図２】本実施形態に係る制御部の構成を示す図である。
【図３】（ａ）は、調整前のタッチパネルの一例を示す図である。（ｂ）は、調整後のタッチパネルの一例を示す図である。
【図４】（ａ）は、調整前のタッチパネルの他の一例を示す図である。（ｂ）は、調整後のタッチパネルの一例を示す図である。
【図５】制御部の高さ調整処理を示すフローチャートである。
【図６】制御部の傾き角調整処理を示すフローチャートである。
【図７】本実施形態に係る高さ調整部の構成を示す図である。
【図８】本実施形態に係る傾き角調整部の構成を示す側面図である。（ａ）は、傾き角が小さい状態のタッチパネルの一例を示す図である。（ｂ）は、傾き角が大きい状態のタッチパネルの一例を示す図である。
【発明を実施するための形態】
【０００９】
以下、本発明の実施形態について、図面（図１〜図８）を参照しながら説明する。なお、図中、同一又は相当部分については同一の参照符号を付して説明を繰り返さない。
【００１０】
まず、図１を参照して、本実施形態に係る画像形成装置１００について説明する。図１は、画像形成装置１００の構成を示す図である。図１に示すように、画像形成装置１００は複合機である。画像形成装置１００は、画像形成ユニット１、画像読取ユニット２、原稿搬送ユニット３、操作表示部４、及び制御部５を備える。
【００１１】
画像形成ユニット１は、用紙Ｐ（記録媒体）に画像を形成する。画像読取ユニット２は、原稿Ｒに形成された画像を読み取り、読取画像を生成する。原稿搬送ユニット３は、原稿Ｒを画像読取ユニット２に供給する。
【００１２】
また、画像形成ユニット１は、給送カセット１１、搬送ローラー対１２、画像形成部１３、定着部１４、排出ローラー対１５、及び排出トレイ１６を備える。給送カセット１１から繰り出された用紙Ｐは、搬送ローラー対１２によって画像形成部１３まで搬送される。
【００１３】
画像形成部１３は、用紙Ｐに画像を形成する。具体的には、画像形成部１３は、感光体ドラム、帯電部、露光部、現像部、転写部、クリーニング部、及び除電部を含む。感光体ドラム、帯電部、露光部、現像部、及び転写部によって、用紙Ｐに画像が形成される。
【００１４】
画像が形成された用紙Ｐは、定着部１４まで搬送される。定着部１４は、用紙Ｐを加熱及び加圧し、用紙Ｐに形成された画像を用紙Ｐに定着する。画像が定着された用紙Ｐは、排出ローラー対１５によって排出トレイ１６へ排出される。
【００１５】
操作表示部４は、ユーザーからの操作を受け付ける。操作表示部４は、タッチパネル４１を備える。タッチパネル４１は、例えばＬＣＤ（Ｌｉｑｕｉｄ  Ｃｒｙｓｔａｌ  Ｄｉｓｐｌａｙ）を備え、種々の画像を表示する。また、タッチパネル４１は、タッチセンサーを備え、ユーザーからの操作を受け付ける。タッチセンサーは、本実施形態では、押圧力を検出するセンサー（いわゆる、「フォースセンサー」）である。
【００１６】
制御部５は、プロセッサー５Ａ、及び記憶部５Ｂを備える。プロセッサー５Ａは、例えばＣＰＵ（Ｃｅｎｔｒａｌ  Ｐｒｏｃｅｓｓｉｎｇ  Ｕｎｉｔ）を備える。記憶部５Ｂは、半導体メモリーのようなメモリーを備え、ＨＤＤ（Ｈａｒｄ  Ｄｉｓｋ  Ｄｒｉｖｅ）を備えてもよい。記憶部５Ｂは、制御プログラムを記憶している。
【００１７】
次に、図１及び図２を参照して、本実施形態に係る制御部５の構成について説明する。図２は、制御部５の構成を示す図である。図２に示すように、制御部５は、検出部５１、及び調整指示部５２を備える。具体的には、プロセッサー５Ａが、記憶部５Ｂから制御プログラムを読み出して実行することによって、検出部５１、及び調整指示部５２として機能する。
【００１８】
また、画像形成装置１００は、調整部６００を更に備える。調整部６００は、タッチパネル４１の配置されている態様を調整する。「態様」とは、位置及び姿勢の少なくとも一方を含む。また、調整部６００は、高さ調整部６と、傾き角調整部７とを備える。本実施形態では、調整部６００がタッチパネル４１の配置態様を調整する処理が終了するまで、ユーザーは、タッチパネル４１に指を接触した状態を維持する。
【００１９】
高さ調整部６は、調整指示部５２の指示に従って、タッチパネル４１の配置されている高さＨＴを調整する。具体的には、高さ調整部６は、調整指示部５２の指示に従って、タッチパネル４１の配置されている高さＨＴを高くするか、又は、タッチパネル４１の配置されている高さＨＴを低くする。
【００２０】
傾き角調整部７は、調整指示部５２の指示に従って、タッチパネル４１の配置されている傾き角θを調整する。傾き角θは、水平面に対するタッチパネル４１の傾きを示す。具体的には、傾き角θは、水平面とタッチパネル４１の表示面とのなす角である。
【００２１】
検出部５１は、ユーザー（例えば、ユーザーの指）がタッチパネル４１に接触している状態を検出する。検出部５１は、第１検出部５１１、及び第２検出部５１２を備える。
【００２２】
第１検出部５１１は、接触領域の全圧力ＰＴを検出する。接触領域は、ユーザー（例えば、ユーザーの指）がタッチパネル４１に接触する領域を示す。タッチパネル４１の接触領域に付与される圧力が一定である場合には、全圧力は、接触領域の面積ＳＴに圧力を乗じた積を示す。具体的には、第１検出部５１１は、タッチパネル４１に配置されたタッチセンサーが検出した圧力の総和を求めることによって、全圧力ＰＴを検出する。
【００２３】
第２検出部５１２は、接触領域の面積ＳＴを検出する。
【００２４】
調整指示部５２は、検出部５１の検出結果に基づいて、調整部６００がタッチパネル４１の態様を調整するように調整部６００に指示する。調整指示部５２は、第１指示部５２１、及び第２指示部５２２を備える。
【００２５】
第１指示部５２１は、第１検出部５１１の検出結果に基づいて、高さ調整部６が高さＨＴを調整するように高さ調整部６に指示する。
【００２６】
第２指示部５２２は、第２検出部５１２の検出結果に基づいて、傾き角調整部７が傾き角θを調整するように傾き角調整部７に指示する。
【００２７】
以上、図１及び図２を参照して説明したように、本実施形態では、検出部５１は、ユーザー（例えば、ユーザーの指）がタッチパネル４１に接触している状態を検出する。そして、調整指示部５２は、検出部５１の検出結果に基づいて、調整部６００がタッチパネル４１の配置されている態様を調整するように調整部６００に指示する。調整部６００は、調整指示部５２の指示に従って、タッチパネル４１の配置されている態様を調整する。したがって、ユーザーはタッチパネル４１に、例えば、ユーザーの指を接触することによって、タッチパネル４１の配置されている態様を調整できる。その結果、不特定のユーザーが使用する場合であっても、タッチパネル４１の配置されている態様を、手間をかけることなく調整できる。
【００２８】
次に、図２、図３及び図４を参照して、第１指示部５２１及び第２指示部５２２の処理について説明する。図３（ａ）は、調整前のタッチパネル４１の一例を示す図である。図３（ａ）に示すように、タッチパネル４１の高さＨＴは高さＨ１である。なお、高さＨＴは、基準面ＦＬからタッチパネル４１の中心位置までの距離を示す。基準面ＦＬは、基準となる平面を示す。基準面ＦＬは、例えば、画像形成装置１００が設置されている床面である。また、図３（ａ）において、タッチパネル４１の傾き角θは傾き角θ１である。
【００２９】
高さＨ１は、例えば９０ｃｍであり、適正高さＨＡ（例えば、１１０ｃｍ〜１３０ｃｍ）より低い。また、傾き角θ１は、例えば５０°であり、適正傾き角θＡ（例えば、２０°〜３０°）より大きい。
【００３０】
通常の使用状態においては、高さＨＴが高いと接触領域の全圧力ＰＴが高くなり、高さＨＴが低いと接触領域の全圧力ＰＴが低くなる傾向にある。図３（ａ）に示す態様では、高さＨ１が適正高さＨＡより低いため、接触領域の全圧力ＰＴは、適正圧力ＦＡと比較して小さい値になる。適正圧力ＦＡは、例えば、第２圧力ＰＴ２以上であり、且つ第１圧力ＰＴ１以下である。また、通常の使用状態においては、高さＨＴが高いと接触領域の全圧力ＰＴが高くなり、高さＨＴが低いと接触領域の全圧力ＰＴが低くなる傾向にある。図３（ａ）に示す態様では、傾き角θ１が適正傾き角θＡと比較して大きいため、接触領域の面積ＳＴが適正面積ＳＡと比較して小さい値になる。適正面積ＳＡは、例えば、第２面積ＳＴ２以上であり、且つ第１面積ＳＴ１以下である。
【００３１】
全圧力ＰＴが第２圧力ＰＴ２より小さい場合に、第１指示部５２１は、高さ調整部６が高さＨＴを高くするように高さ調整部６に指示する。具体的には、第１指示部５２１は、高さ調整部６が高さＨＴを所定距離ΔＨだけ高くするように高さ調整部６に指示する。所定距離ΔＨは、例えば５ｃｍである。
【００３２】
面積ＳＴが第２面積ＳＴ２より小さい場合に、第２指示部５２２は、傾き角調整部７が傾き角θを小さくするように傾き角調整部７に指示する。具体的には、第２指示部５２２は、傾き角調整部７が傾き角θを所定角度Δθだけ小さくするように傾き角調整部７に指示する。所定角度Δθは、例えば５°である。
【００３３】
図３（ｂ）は、調整後のタッチパネル４１の一例を示す図である。図３（ｂ）に示すようにタッチパネル４１の高さＨＴは、高さＨ２である。また、タッチパネル４１の傾き角θは、傾き角θ２である。高さＨ２は例えば１１５ｃｍであり、傾き角θ２は例えば３０°である。このように、タッチパネル４１の高さＨＴは、適正高さＨＡに調整され、タッチパネル４１の傾き角θは適正傾き角θＡに調整される。
【００３４】
図４（ａ）は、調整前のタッチパネル４１の他の一例を示す図である。図４（ａ）に示すようにタッチパネル４１の高さＨＴは、高さＨ３である。また、タッチパネル４１の傾き角θは、傾き角θ３である。
【００３５】
高さＨ３は、例えば１５０ｃｍであり、適正高さＨＡより高い。また、傾き角θ３は、例えば１０°であり、適正傾き角θＡより小さい。
【００３６】
図４（ａ）に示す態様では、高さＨ３が適正高さＨＡより高いため、接触領域の全圧力ＰＴは、適正圧力ＦＡより大きい値になる。また、図４（ａ）に示す態様では、高さＨ３が適正高さＨＡより高いため、傾き角θ３が適正傾き角θＡより小さいため、接触領域の面積ＳＴが適正面積ＳＡより大きい値になる。
【００３７】
全圧力ＰＴが第１圧力ＰＴ１より大きい場合に、第１指示部５２１は、高さ調整部６が高さＨＴを低くするように高さ調整部６に指示する。具体的には、第１指示部５２１は、高さ調整部６が高さＨＴを所定距離ΔＨだけ低くするように高さ調整部６に指示する。
【００３８】
面積ＳＴが第１面積ＳＴ１より大きい場合に、第２指示部５２２は、傾き角調整部７が傾き角θを大きくするように傾き角調整部７に指示する。具体的には、第２指示部５２２は、傾き角調整部７が傾き角θを所定角度Δθだけ大きくするように傾き角調整部７に指示する。
【００３９】
図４（ｂ）は、調整後のタッチパネル４１の他の一例を示す図である。図４（ｂ）に示すようにタッチパネル４１の高さＨＴは高さＨ４である。また、タッチパネル４１の傾き角θは傾き角θ４である。高さＨ４は、例えば１２５ｃｍであり、傾き角θ２は、例えば２５°である。このように、タッチパネル４１の高さＨＴは適正高さＨＡに調整され、タッチパネル４１の傾き角θは適正傾き角θＡに調整される。
【００４０】
以上、図２、図３及び図４を参照して説明したように、本実施形態では、第１検出部５１１が、接触領域の全圧力ＰＴを検出する。第１指示部５２１は、第１検出部５１１の検出結果に基づいて、高さ調整部６がタッチパネル４１の高さＨＴを調整するように高さ調整部６に指示する。なお、タッチパネル４１の高さＨＴが適正高さＨＡより高い場合には、全圧力ＰＴが適正圧力ＦＡより大きくなる（図４（ａ）参照）。一方、タッチパネル４１の高さＨＴが適正高さＨＡより低い場合には、全圧力ＰＴが適正圧力ＦＡより小さくなる（図３（ａ）参照）。したがって、第１指示部５２１は、高さ調整部６が全圧力ＰＴに基づいてタッチパネル４１の高さＨＴを調整するように高さ調整部６に指示するため、タッチパネル４１の高さＨＴを適正高さＨＡに調整できる。
【００４１】
また、全圧力ＰＴが第１圧力ＰＴ１より大きい場合には、第１指示部５２１は、高さ調整部６がタッチパネル４１の高さＨＴを低くするように高さ調整部６に指示する。一方、全圧力ＰＴが第２圧力ＰＴ２より小さい場合には、第１指示部５２１は、高さ調整部６がタッチパネル４１の高さＨＴを高くするように高さ調整部６に指示する。よって、第１指示部５２１は、以下の条件を満たすように高さ調整部６がタッチパネル４１の高さＨＴを調整するように高さ調整部６に指示する。すなわち、全圧力ＰＴが第２圧力ＰＴ２以上であり、且つ第１圧力ＰＴ１以下となるように、高さ調整部６がタッチパネル４１の高さＨＴを調整する。したがって、第１圧力ＰＴ１及び第２圧力ＰＴ２を適正な値に設定することによって、タッチパネル４１の高さＨＴを更に適正な適正高さＨＡに調整できる。
【００４２】
更に、第２検出部５１２が、接触領域の面積ＳＴを検出する。第２指示部５２２は、第２検出部５１２の検出結果に基づいて、傾き角調整部７が水平面に対するタッチパネル４１の傾き角θを調整するように傾き角調整部７に指示する。なお、タッチパネル４１の傾き角θが適正傾き角θＡより大きい場合には、面積ＳＴが適正面積ＳＡより小さくなる（図３（ａ）参照）。一方、タッチパネル４１の傾き角θが適正傾き角θＡより小さい場合には、面積ＳＴが適正面積ＳＡより大きくなる（図４（ａ）参照）。したがって、第２指示部５２２は、傾き角調整部７が面積ＳＴに基づいてタッチパネル４１の傾き角θを調整するように傾き角調整部７に指示するため、タッチパネル４１の傾き角θを適正傾き角θＡに調整できる。
【００４３】
加えて、面積ＳＴが第１面積ＳＴ１より大きい場合には、第２指示部５２２は、傾き角調整部７がタッチパネル４１の傾き角θを大きくするように傾き角調整部７に指示する。一方、面積ＳＴが第２面積ＳＴ２より小さい場合には、第２指示部５２２は、傾き角調整部７がタッチパネル４１の傾き角θを小さくするように傾き角調整部７に指示する。よって、第２指示部５２２は、傾き角調整部７が以下の条件を満たすようにタッチパネル４１の傾き角θを調整するように傾き角調整部７に指示する。すなわち、面積ＳＴが第２面積ＳＴ２以上であり、且つ第１面積ＳＴ１以下となるように、傾き角調整部７がタッチパネル４１の傾き角θを調整する。したがって、第１面積ＳＴ１及び第２面積ＳＴ２を適正な値に設定することによって、タッチパネル４１の傾き角θを更に適正な適正傾き角θＡに調整できる。
【００４４】
次に、図２、図５及び図６を参照して、制御部５の処理について説明する。図５は、制御部５の「高さ調整処理」を示すフローチャートである。「高さ調整処理」は、タッチパネル４１の高さＨＴを調整する処理を示す。
【００４５】
図５に示すように、まず、ステップＳ１０１において、第１検出部５１１が接触領域の全圧力ＰＴを検出する。
次に、ステップＳ１０３において、第１指示部５２１が、全圧力ＰＴが第１圧力ＰＴ１より大きいか否かを判定する。
全圧力ＰＴが第１圧力ＰＴ１より大きくないと第１指示部５２１が判定した場合（ステップＳ１０３でＮＯ）には、処理がステップＳ１０７に進む。一方、全圧力ＰＴが第１圧力ＰＴ１より大きいと第１指示部５２１が判定した場合（ステップＳ１０３でＹＥＳ）には、処理がステップＳ１０５に進む。
そして、ステップＳ１０５において、第１指示部５２１は、高さ調整部６が高さＨＴを所定距離ΔＨだけ低くするように高さ調整部６に指示し、処理がステップＳ１０１に戻る。
【００４６】
ステップＳ１０３でＮＯの場合には、ステップＳ１０７において、第１指示部５２１が、全圧力ＰＴが第２圧力ＰＴ２より小さいか否かを判定する。
全圧力ＰＴが第２圧力ＰＴ２より小さくないと第１指示部５２１が判定した場合（ステップＳ１０７でＮＯ）には、処理が終了する。一方、全圧力ＰＴが第２圧力ＰＴ２より小さいと第１指示部５２１が判定した場合（ステップＳ１０７でＹＥＳ）には、処理がステップＳ１０９に進む。
そして、ステップＳ１０９において、第１指示部５２１は、高さ調整部６が高さＨＴを所定距離ΔＨだけ高くするように高さ調整部６に指示し、処理がステップＳ１０１に戻る。
【００４７】
図６は、制御部５の「傾き角調整処理」を示すフローチャートである。「傾き角調整処理」は、タッチパネル４１の傾き角θを調整する処理を示す。
【００４８】
図６に示すように、まず、ステップＳ２０１において、第２検出部５１２が、接触領域の面積ＳＴを検出する。
次に、ステップＳ２０３において、第２指示部５２２が、面積ＳＴが第１面積ＳＴ１より大きいか否かを判定する。
面積ＳＴが第１面積ＳＴ１より大きくないと第２指示部５２２が判定した場合（ステップＳ２０３でＮＯ）には、処理がステップＳ２０７に進む。一方、面積ＳＴが第１面積ＳＴ１より大きいと第２指示部５２２が判定した場合（ステップＳ２０３でＹＥＳ）には、処理がステップＳ２０５に進む。
そして、ステップＳ２０５において、第２指示部５２２は、傾き角調整部７が傾き角θを所定角度Δθだけ大きくするように傾き角調整部７に指示し、処理がステップＳ２０１に戻る。
【００４９】
ステップＳ２０３でＮＯの場合には、ステップＳ２０７において、第２指示部５２２が、面積ＳＴが第２面積ＳＴ２より小さいか否かを判定する。
面積ＳＴが第２面積ＳＴ２より小さくないと第２指示部５２２が判定した場合（ステップＳ２０７でＮＯ）には、処理が終了する。一方、面積ＳＴが第２面積ＳＴ２より小さいと第２指示部５２２が判定した場合（ステップＳ２０７でＹＥＳ）には、処理がステップＳ２０９に進む。
そして、ステップＳ２０９において、第２指示部５２２は、傾き角調整部７が傾き角θを所定角度Δθだけ小さくするように傾き角調整部７に指示し、処理がステップＳ２０１に戻る。
【００５０】
以上、図２、図５及び図６を参照して説明したように、制御部５は、全圧力ＰＴが第２圧力ＰＴ２以上で、且つ、第１圧力ＰＴ１以下となるようにタッチパネル４１の高さＨＴを調整することができる。また、制御部５は、面積ＳＴが、第２面積ＳＴ２以上で、且つ、第１面積ＳＴ１以下となるようにタッチパネル４１の傾き角θを調整することができる。
【００５１】
次に、図７を参照して、本実施形態に係る高さ調整部６の構成について説明する。図７は、高さ調整部６の構成を示す図である。図７に示すように、高さ調整部６は、駆動部６１と、可動部６２とを備える。駆動部６１は、可動部６２を上下方向に駆動する。可動部６２は、駆動部６１によって駆動されて昇降する。
【００５２】
駆動部６１は、支持部６１１、支柱６１２、及び円形歯車６１４を備える。支持部６１１は、支柱６１２の下端に固定され、支柱６１２を支持する。支柱６１２は、柱状部材で構成され、円形歯車６１４を支持する。円形歯車６１４は、軸６１３を中心に回動自在に構成される。また、円形歯車６１４は、図略のモーターによって駆動される。
【００５３】
可動部６２は、昇降部材６２１、ギア６２２、及び支持部材６２３を備える。昇降部材６２１は、図略のガイドによって昇降自在に支持される。ギア６２２は、昇降部材６２１の支柱６１２に近い側の側面に帯状に形成され、円形歯車６１４と噛み合う。円形歯車６１４とギア６２２とは、いわゆる「ラックアンドピニオン」を構成している。支持部材６２３は、昇降部材６２１の上端に配置され、操作表示部４を支持する。
【００５４】
次に、高さ調整部６の動作について説明する。モーターによって円形歯車６１４が、方向Ｗ１に回動される。円形歯車６１４によってギア６２２が上方向に移動する。そして、ギア６２２と一体に、昇降部材６２１及び支持部材６２３が上方向に移動する。その結果、操作表示部４を上方向に移動できる。すなわち、タッチパネル４１の高さＨＴを高くすることができる。方向Ｗ１と逆方向に円形歯車６１４が回動されると、タッチパネル４１の高さＨＴを低くすることができる。したがって、高さ調整部６は、タッチパネル４１の高さＨＴを調整できる。
【００５５】
次に、図８を参照して、本実施形態に係る傾き角調整部７の構成について説明する。図８は、傾き角調整部７の構成を示す側面図である。図８（ａ）は、傾き角θが小さい状態のタッチパネル４１の一例を示す図である。図８（ｂ）は、傾き角θが大きい状態のタッチパネルの一例を示す図である。図８（ａ）に示すように、傾き角調整部７は、軸部材７１、円板状部材７２、及び支持部材７３を備えている。
【００５６】
支持部材７３は、操作表示部４を支持する。支持部材７３は、操作表示部４の長手方向の両端部に配置される。円板状部材７２は、操作表示部４の長手方向の両端部に対向する位置に配置される。操作表示部４の長手方向は、図８（ａ）及び図８（ｂ）では紙面に対して垂直な方向である。円板状部材７２は、支持部材７３に固定される。軸部材７１は、円板状部材７２を回動自在に支持する。
【００５７】
以下、傾き角調整部７の動作について説明する。円板状部材７２は、図略のモーターによって、軸部材７１を中心に回動される。円板状部材７２が方向Ｗ２に回動されると、傾き角θが大きくなる。図８（ａ）では、傾き角θは１５°である。図８（ｂ）では、傾き角θは４５°である。円板状部材７２を方向Ｗ２に回動することによって、図８（ａ）に示す状態から図８（ｂ）に示す状態に変更することができる。円板状部材７２が方向Ｗ２と逆方向に回動されると、傾き角θが小さくなる。よって、円板状部材７２を方向Ｗ２と逆方向に回動することによって、図８（ｂ）に示す状態から図８（ａ）に示す状態に変更することができる。したがって、傾き角調整部７は、タッチパネル４１の傾き角θを調整できる。
【００５８】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００５９】
（１）図１を参照して説明したように、タッチパネル４１が操作表示部４の一部であるが、本発明はこれに限定されない。タッチパネル４１が画像形成装置１００に配置されていればよい。例えば、タッチパネル４１が、バードキーが配置された操作部とは別体として構成されている形態でもよい。
【００６０】
（２）図２を参照して説明したように、調整部６００がタッチパネル４１の配置されている態様を調整する処理が終了するまで、ユーザーは、タッチパネル４１に指を接触した状態を維持するが、本発明はこれに限定されない。ユーザーがタッチパネル４１に接触すればよい。例えば、ユーザーがタッチパネル４１に断続的に接触する形態でもよい。この形態では、ユーザーがタッチパネル４１に接触したときに、調整指示部５２は、調整部６００がタッチパネル４１の配置されている態様を調整するように調整部６００に指示する。
【００６１】
（３）図８を参照して説明したように、軸部材７１を中心に回動可能に構成されるが、本発明はこれに限定されない。タッチパネル４１の表示面の方向がユーザーの左右方向（軸部材７１に対して垂直な軸の周りに）に回動可能に構成される形態でもよい。タッチパネル４１の表示面の方向は、タッチパネル４１の表示面の垂線方向を示す。この形態では、タッチパネル４１の傾き角φは、タッチパネル４１の表示面の方向を示す。
【００６２】
また、この形態では、接触領域における圧力分布に基づいて、タッチパネル４１の傾き角φを調整する。接触領域は、ユーザーがタッチパネル４１に接触する領域を示す。具体的には、接触領域において、ユーザーから見て右側の領域の圧力と左側の領域の圧力とを検出する。そして、右側の領域の圧力が左側の領域の圧力より大きい場合には、ユーザーから見てタッチパネル４１の右側がユーザーから離間する方向にタッチパネル４１の傾き角φを調整する。一方、左側の領域の圧力が右側の領域の圧力より大きい場合には、ユーザーから見てタッチパネル４１の左側がユーザーから離間する方向にタッチパネル４１の傾き角φを調整する。
【産業上の利用可能性】
【００６３】
本発明は、画像形成装置に関するものであり、産業上の利用可能性を有する。
【符号の説明】
【００６４】
１００    画像形成装置
１    画像形成ユニット
１３    画像形成部
２    画像読取ユニット
３    原稿搬送ユニット
４    操作表示部
４１    タッチパネル
５    制御部
５１    検出部
５１１    第１検出部
５１２    第２検出部
５２    調整指示部
５２１    第１指示部
５２２    第２指示部
６００    調整部
６    高さ調整部
７    傾き角調整部
【図１】
2018167416.tif 000003
【図２】
2018167416.tif 000004
【図３】
2018167416.tif 000005
【図４】
2018167416.tif 000006
【図５】
2018167416.tif 000007
【図６】
2018167416.tif 000008
【図７】
2018167416.tif 000009
【図８】
2018167416.tif 000010